(57)【要約】【課題】利用者による決済を待たせることのない電子マネー決済システムおよび電子マネー決済端末を提供する。【解決手段】電子マネー決済端末の制御部は、ＩＣカードに記憶された固有番号を読み取って前記上位装置へ送信する照会処理を行う時、所定の時間、管理サーバとの通信処理を一時停止し、前記上位装置から、前記固有番号と金額情報とを含む指定決済要求指示を受信すると、前記指定決済要求指示に含まれる固有番号が記憶されたＩＣカードに限定して電子マネーによる決済処理を行う。【選択図】図４
2015200982.tif 000002
【特許請求の範囲】
【請求項１】
上位装置と、前記上位装置に接続される電子マネー決済端末と、外部ネットワーク経由で前記電子マネー決済端末に接続される管理サーバとからなる電子マネー決済システムであって、
前記電子マネー決済端末の制御部は、
ＩＣカードに記憶された固有番号を読み取って前記上位装置へ送信する照会処理を行う時、所定の時間、管理サーバとの通信処理を一時停止し、
前記上位装置から、前記固有番号と金額情報とを含む指定決済要求指示を受信すると、前記指定決済要求指示に含まれる固有番号が記憶されたＩＣカードに限定して電子マネーによる決済処理を行うことを特徴とする電子マネー決済システム。
【請求項２】
請求項１記載の電子マネー決済システムにおいて、前記上位装置は、前記電子マネー決済端末から受信した前記固有番号と、予め記憶部に記憶された固有番号との照合を行い、前記照合が得られた場合に前記電子マネーによる決済を許可するとともに、前記固有番号と金額情報を含む指定決済要求指示を前記電子マネー決済端末に送信すること特徴とする電子マネー決済システム。
【請求項３】
請求項１乃至２のいずれかに記載の電子マネー決済システムにおいて、前記電子マネー決済端末の制御部は、前記通信処理を一時停止する時間をタイマによって監視し、一時停止中に前回読み出したＩＣカードと異なる固有番号を有するＩＣカードを検出した場合に、前記タイマに対してカウント値の再設定を行なうことを特徴とする電子マネー決済システム。
【請求項４】
請求項１乃至３のいずれかに記載の電子マネー決済システムにおいて、前記電子マネー決済端末の制御部は、前記決済処理が完了した場合、または前記所定の時間が経過した場合に、前記通信処理を再開することを特徴とする電子マネー決済システム。
【請求項５】
管理サーバへ外部ネットワーク経由で接続されるとともに、上位装置に接続される電子マネー決済端末であって、
前記電子マネー決済端末の制御部は、ＩＣカードに記憶された固有番号を読み取って前記上位装置へ送信する照会処理を行う時、所定の時間、管理サーバとの通信処理を一時停止し、前記上位装置から、前記固有番号と金額情報とを含む指定決済要求指示を受信すると、前記指定決済要求指示に含まれる固有番号が記憶されたＩＣカードに限定して電子マネーによる決済処理を行うことを特徴とする電子マネー決済端末。
【請求項６】
請求項５記載の電子マネー決済端末において、前記電子マネー決済端末の制御部は、
前記通信処理を一時停止する時間をタイマによって監視し、一時停止中に前回読み出したＩＣカードと異なる固有番号を有するＩＣカードを検出した場合に、前記タイマに対してカウント値の再設定を行なうことを特徴とする電子マネー決済端末。
【請求項７】
請求項５乃至６のいずれかに記載の電子マネー決済端末において、前記電子マネー決済端末の制御部は、前記決済処理が完了した場合、または前記所定の時間が経過した場合に、前記通信処理を再開することを特徴とする電子マネー決済端末。
【発明の詳細な説明】
【技術分野】
【０００１】
本発明は、電子マネー決済システムおよび電子マネー決済端末に関する。
【背景技術】
【０００２】
ＩＣカードを用いた電子マネー決済システムの一つに、貸しロッカーシステムがある。この貸しロッカーシステムにおいて、ロッカーの施錠と解錠にＩＣカードに記憶された固有番号を鍵として利用する技術が特許文献１あるいは特許文献２に開示されている。このような貸しロッカーシステムはロッカーシステムの制御部と電子マネー決済端末を備えており、ロッカーシステムの制御部は電子マネー決済端末にかざされたＩＣカードの固有番号を読み取って、この固有番号とロッカーの番号とを関連付けて記憶しロッカーの施錠を行う。また解錠時にＩＣカードがかざされると記憶している固有番号とかざされたＩＣカードの固有番号との照合処理を行い、照合が得られると解錠する。ロッカーの利用料金は電子マネー決済端末が決済する。
【０００３】
また、電子マネー決済端末は、インターネット等の外部ネットワーク経由でセンターサーバに接続されており、定期的（例えば１日１回）にセンターサーバから電子マネー決済端末が実行すべき通信処理の内容が記述されたデータ（以下ＪＯＢデータという）を受信し、そのＪＯＢデータにしたがい通信処理を行っている。
【先行技術文献】
【特許文献】
【０００４】
【特許文献１】特開平９−３３０４５８号公報
【特許文献２】特開２００５−３１４９４４号公報
【発明の概要】
【発明が解決しようとする課題】
【０００５】
電子マネー決済端末は、ＪＯＢデータにしたがって通信処理を行っているときは決済処理等の内部処理を行なうことが出来ない。このため、たとえばロッカーシステムにおいて施錠や解錠の為にＩＣカードから固有番号を読み取って照合処理を待っている際に、ＪＯＢデータを確認するスケジュール時刻になると、通常、数分程度を要するセンターサーバとの通信処理が開始されるため、この処理の間、決済処理が出来ない状態が発生する。したがって、ＩＣカードをかざして決済を行おうとしている利用者に決済を待たせてしまうという問題が発生する。
【０００６】
本発明は上記の問題を解決するためになされたものであり、利用者が決済を待たされることの無い電子マネー決済システムおよび電子マネー決済端末を提供することを目的とする。
【課題を解決するための手段】
【０００７】
上記した課題を解決するために本発明の電子マネー決済システムは、上位装置と、前記上位装置に接続される電子マネー決済端末と、外部ネットワーク経由で前記電子マネー決済端末に接続される管理サーバとからなる電子マネー決済システムであって、
前記電子マネー決済端末の制御部は、ＩＣカードに記憶された固有番号を読み取って前記上位装置へ送信する照会処理を行う時、所定の時間、管理サーバとの通信処理を一時停止し、前記上位装置から前記固有番号と金額情報とを含む指定決済要求指示を受信すると前記指定決済要求指示に含まれる固有番号が記憶されたＩＣカードとの電子マネーによる決済処理を行う。
【０００８】
また本発明において、前記上位装置は、前記電子マネー決済端末から受信した前記固有番号と、予め前記上位装置の記憶部に記憶された固有番号との照合を行い、照合が得られた場合に前記電子マネーによる決済を許可するとともに、前記指定決済要求指示を前記電子マネー決済端末に送信する。
【０００９】
また本発明において、前記制御部は、前記通信処理を一時停止する時間をタイマによって監視し、監視中に前回読み出したＩＣカードと異なる固有番号を有するＩＣカードを検出した場合に、前記タイマに対してカウント値の再設定を行なう。
【００１０】
また本発明において、前記制御部は、前記決済処理が完了した場合、または前記所定の時間が経過した場合に、前記通信処理を再開する。
【発明の効果】
【００１１】
本発明によれば、利用者による決済を待たせることのない電子マネー決済システムおよび電子マネー決済端末を提供することができる。
【図面の簡単な説明】
【００１２】
【図１】本発明の実施の形態による電子マネー決済システムの一例を示す図である。
【図２】本発明の実施の形態による電子マネー決済端末の内部構成を示すブロック図である。
【図３】図１の電子マネー決済システムのロッカー解錠時の動作シーケンス図である。
【図４】図１の電子マネー決済システムのロッカー解錠時の動作シーケンス図であって、ＪＯＢデータ確認のための通信を一時停止する処理を説明するための図である。
【発明を実施するための形態】
【００１３】
以下、添付図面を参照して、本発明を実施するための形態（以下、本実施形態という）について詳細に説明する。なお、本実施形態の説明の全体を通して同じ要素には同じ番号を付している。
【００１４】
図１は、本実施形態による電子マネー決済システムの一例を示す図である。ここでは、電子マネー決済システム１として、ロッカーシステム４への適用例が示されている。図１のロッカーシステム４は、電子マネー決済端末１０と、上位装置としてのロッカー制御部２０と、貨幣処理装置４０と、操作ボタン５０と、複数の鍵付きロッカーからなる商品収納部３０と、管理サーバとしてのセンターサーバ２を有する。センターサーバ２は、外部ネットワーク３経由で電子マネー決済端末１０と接続されている。
【００１５】
ロッカー制御部２０は、貨幣処理装置４０と電子マネー決済端末１０に対して決済処理を指示するとともに、商品収納部３０を構成する複数の鍵付きロッカーの扉の施錠と解錠を制御する。
【００１６】
貨幣処理装置４０は、現金による決済処理を行うものである。操作ボタン５０は、ロッカーの利用者によってロッカーの番号指定や支払い方法を選択する際に操作されるものである。尚、支払い方法としては、現金、電子マネーを選択できる他、特定のＩＣカードによる電子マネー決済を選択することもできる。センターサーバ2は、各ＩＣカードの電子マネーの入出金の状態を管理するものである。
【００１７】
電子マネー決済端末１０は、電子マネーが記録されたＩＣカードのそれぞれに付与されたユニークな識別番号である固有番号を読み取りロッカー制御部２０へ送信する照会処理と、ロッカー制御部２０からの決済指示に基づいて電子マネーの決済処理を行うものである。尚、固有番号は、ＩＣカード発行元により責任をもって管理される番号である。
【００１８】
図２は、本実施形態による電子マネー決済端末１０の内部構成を示すブロック図である。本実施形態による電子マネー決済端末１０は、利用者が電子マネーを記録したＩＣカードをかざすかざし部１１と、制御部１２とにより構成される。
【００１９】
かざし部１１には、アンテナ１１１およびリーダライタ部（ＲＷ）１１２が内蔵される。ＲＷ１１２は、電磁波を用いてＩＣカードを非接触でリードライトするハードウエアであり、アンテナ１１１を介し、決済金額等のデータを電磁波に重畳して送受信する。かざし部１１には、更に、周辺の音量を測定する集音部（マイクロフォン１１３）と、電子マネーの決済処理が成功したことを報せる決済音や決済処理ができないこと等を報せるエラー音を出力する音声出力部（スピーカー１１４）を内蔵してもよい。
【００２０】
制御部１２は、ＣＰＵ１２０を制御中枢とし、記憶部１２２と、通信部１２３，１２４と、を含み構成される。記憶部１２２には、ＣＰＵ１２０が実行するプログラムが格納されるプログラム領域の他に、読み出された固有番号、およびプログラムの実行過程で生成される、決済関連情報が一時記憶される作業領域が割り当てられている。
【００２１】
通信部１２３は、ロッカー制御部２０と接続するための通信インタフェースとしての機能を有し、通信部１２４は、ＩＰ（Internet  Protocol）網等の外部ネットワーク３経由でセンターサーバ２と接続するための通信インタフェースとしての機能を有する。
【００２２】
電子マネー決済端末１０の制御部１２は、かざし部１１にかざされたＩＣカードの固有番号を読み取ってロッカー制御部２０へ送信する照会処理や、ロッカー制御部２０から決済指令として固有番号と決済金額を含む指定決済要求指示を受信した際に、かざされたＩＣカードを読み取って、読み取ったＩＣカードの固有番号と受信した固有番号とを照合し、照合が得られた場合（固有番号が一致した場合）に、電子マネーによる決済を行う決済処理を実行する。
【００２３】
このように構成されたロッカーシステム４のロッカー制御部２０は、ロッカーの施錠時において、利用者がロッカーの扉を閉めて、電子マネー決済端末１０にＩＣカードをかざすとともに、ロッカー番号等の必要情報を操作ボタン５０により入力したとき、電子マネー決済端末１０から受信したＩＣカードの固有番号とロッカー番号とを紐づけた情報を生成してロッカー制御部２０の記憶部に記憶し、該当のロッカーを施錠する。
また、ロッカーの解錠時には、ロッカーの利用者が再び電子マネー決済端末１０にＩＣカードをかざすとともに、ロッカー番号等の必要情報を操作ボタン５０により入力すると、電子マネー決済端末１０から受信した固有番号と施錠時に記憶した固有番号との照合処理を行い、照合が得られた場合にロッカーを解錠する。
尚、解錠時に時延長料金等の追加料金が発生した場合には、貨幣処理装置４０または電子マネー決済端末１０によって追加料金を受領することができる。この時、ロッカーシステム４のロッカー制御部２０は、固有番号と金額情報を含む指定決済要求指令を送信することで、解錠時にロッカーの扉施錠に利用されたＩＣカードの固有番号等を指定した決済をすることもできる。
【００２４】
図３は、上記した電子マネー決済システム１（ロッカーシステム４）のロッカー解錠時のロッカー制御部２０と電子マネー決済端末１０との間の動作シーケンスの一例である。このシーケンスでは、ロッカーの解錠時に延長料金が発生した場合であって、施錠に鍵として利用したＩＣカードに対して延長料金を支払う場合の例である。
【００２５】
図３において、電子マネー決済端末１０は、待機時、利用者により電子マネーが記録されたＩＣカードがかざされると（ステップＳ１０１）、その固有番号と電子マネーの残額データを読み取り、残額データとともに固有番号をロッカー制御部２０へ通知する照会処理を行う（ステップＳ１０２）。
【００２６】
ロッカー制御部２０は、受信した固有番号と予め記憶している固有番号との照合処理を行う（ステップＳ１０３）。尚、このシーケンスでは固有番号が一致したものとする。次に利用者により操作ボタン５０が操作されて決済種別が確定する。尚、このシーケンスでは施錠時に鍵として用いたＩＣカードを利用した決済が選択されたものとする（ステップＳ１０４，Ｓ１０５）。
【００２７】
次に、ロッカー制御部２０は追加料金を算出して、電子マネー決済端末１０に対し、施錠に利用した固有番号とともに金額情報を含む指定決済要求指示を行なう（ステップＳ１０６）。なお、ロッカー制御部２０は追加料金の算出時にＩＣカードの固有番号と利用時間に基づいて割引金額やポイントを算出することも出来る。
【００２８】
電子マネー決済端末１０は、ロッカー制御部２０から指定決済要求指示を受信することにより決済処理に移行し、かざされたＩＣカードを再度読み取り、かざされたＩＣカードの固有番号と受信した固有番号とを照合し、固有番号が一致すると、一致した固有番号を記憶するＩＣカードに対して電子マネーの決済処理をして（ステップＳ１０７）、ロッカー制御部２０に対してその決済結果を通知する（ステップＳ１０８）。
【００２９】
なお、ステップ１０３における固有番号の照合処理とは、ロッカーの施錠時に、施錠したロッカーの番号と関連付けてロッカー制御部内の記憶部に記憶したＩＣカードの固有番号と受信した固有番号との照合処理である。
【００３０】
このような電子マネー決済システム１（ロッカーシステム４）により、指定決済要求指示に含まれる固定番号が記憶されたＩＣカードに限定した電子マネーの決済処理を可能とすることで、施錠時のＩＣカードによる追加料金の支払いが選択された場合には、そのＩＣカードに対して割引やポイント付与等のサービスを提供することもできる。これによって特定のＩＣカードの利用促進が期待できる。
【００３１】
なお、本実施形態による電子マネー決済システム１においては、ロッカー制御部２０はロッカーシステム４内に備えた構成として説明をしたが、ロッカー制御部２０がネットワーク回線を通じて接続される構成としてもよい。
【００３２】
また、本実施形態の電子マネー決済システム１はロッカーシステム４への適用例について説明したがその他のシステムへも摘要できる。例えば小売店の電子マネー決済システムと小売店に併設された駐車場の利用料金精算用の電子マネー決済システムを統括する上位装置を設ければ、小売店の買い物と駐車場の精算に同じＩＣカードを利用した顧客に対して駐車料金の請求時に、ＩＣカードの固有番号を指定した精算をすることができる。また、自宅から自家用車で最寄りの駅またはバス停まで行き、車を駐車させた後、バスや鉄道等の公共交通機関を利用して都心部の目的地に向かう「パークアンドライド」に用いることもできる。
【００３３】
一方、電子マネー決済端末１０は、定期的（例えば１日１回）にＪＯＢデータを確認するためにセンターサーバ２と通信し、ＪＯＢデータの指示に基づいた通信処理を行っている。電子マネー決済端末１０はこのＪＯＢデータを確認するための通信処理およびＪＯＢデータの内容に基づいた通信処理を行っている最中、決済処理等の内部処理を行なうことが出来ない状態となる。このため、電子マネー決済端末１０が照会処理後、指定決済要求指示を待っている間に、ＪＯＢデータを確認するスケジュール時刻になり、ＪＯＢデータ確認の通信処理を開始した場合、通常数分程度を要する通信処理の間、決済処理が遅延しＩＣカードをかざして決済を行おうとしている利用者を待たせてしまう問題が発生する。
【００３４】
このため、本実施形態による電子マネー決済端末１０は、照会処理時にＪＯＢデータの確認のための通信処理を一時停止する制御を行う。以下、図２、図４を参照しながら本実施形態による電子マネー決済端末１０のＪＯＢデータ確認のための通信処理を一時停止する制御について詳細に説明する。
【００３５】
図２において電子マネー決済端末１０のＣＰＵ１２０は照会処理を開始すると、ＪＯＢデータ確認のための通信処理を一時停止する。言い換えるとＪＯＢデータ確認のための通信処理が開始しないようにする。また、電子マネー決済端末１０のＣＰＵ１２０はタイマ１２１を備え、一時停止する時間をタイマ１２１によって監視する。これにより、電子マネー決済端末１０は、タイマ１２１に予め設定されたカウント値に基づいて一定時間、ＪＯＢデータ確認のための通信処理を一時停止する。
また、監視中に前回読み出したＩＣカードと異なる固有番号を有するＩＣカードを検出した場合に、タイマ１２１に対してカウント値の再設定を行ない、同じ固有番号を有するＩＣカードを検出した場合にカウント値の再設定を行わないように制御する。
また、ＣＰＵ１２０は、決済処理が完了した場合には一定時間が経過していなくても通信処理を再開させる制御も行う。このように、電子マネー決済端末１０のＣＰＵ１２０は、決済処理が完了した場合、または所定の時間（一定時間）が経過した場合に一時停止していた通信処理を再開させる。
【００３６】
以下、図４に示す電子マネー決済システム１のロッカー解錠時のロッカー制御部２０と電子マネー決済端末１０との間の動作のシーケンス図を参照しながらＪＯＢデータを確認するための通信処理を一時停止する処理について詳細に説明する。
【００３７】
電子マネー決済端末１０（制御部１２）は、待機時に、電子マネーが記録されたＩＣカードがかざされると（ステップＳ２０１，Ｓ２０３，Ｓ２０５）、そのＩＣカードの固有番号と残額データを読み取り、その固有番号と残額データをロッカー制御部２０へ通知するとともに（ステップＳ２０２，Ｓ２０４，Ｓ２０６）、タイマ１２１のカウントをスタートさせ、ＪＯＢデータ確認のための通信処理を一時停止する（ステップＳ２１３）。
【００３８】
なお、いたずら等により、ＩＣカードが電子マネー決済端末１０のかざし部１１にかざされたままになっていた場合、ＣＰＵ１２０によるＪＯＢデータ確認のための通信処理が停止したままになってしまう。このため、ＣＰＵ１２０は、前回かざしたＩＣカードと同じＩＣカード（カードＡ）を検出した場合、タイマ１２１に通信処理の一時停止のカウント値を再セットすることなくタイマ１２１にカウントを継続させる（ステップＳ２０３）。但し、前回かざしたＩＣカードとは異なるＩＣカード（カードＢ）を検出した場合、ＣＰＵ１２０は、タイマ１２１にカウント値を再セットし（ステップＳ２０５）、タイマ１２１に対してＪＯＢデータ確認の一時停止処理に要する時間を最初からカウントさせる動作を行なわせるように制御する。
【００３９】
ロッカー制御部２０は、固有番号を受信すると、その固有番号に基づく照合処理を行なう（ステップＳ２０７）。尚、このシーケンスでは固有番号が一致したものとする。次に利用者により操作ボタン５０が操作されて決済種別が確定する。尚、このシーケンスでは施錠時に鍵として用いたＩＣカードを指定した決済が選択されたものとする（ステップＳ２０８，Ｓ２０９）。次に、電子マネー決済端末１０（制御部１２）に対し、固有番号に基づく指定決済要求指示を行なう（ステップＳ２１０）。制御部１２（ＣＰＵ１２０）は、ロッカー制御部２０から指定決済要求指示を受信することにより決済処理に移行し、利用者が同じ固有番号を有するＩＣカードを再度かざすと電子マネーの決済処理を実行し（ステップＳ２１１）、ロッカー制御部に対してその決済結果を通知する（ステップＳ２１２）。
【００４０】
そして、ＣＰＵ１２０は、決済処理が完了するか、タイマ１２１がカウントアップした場合（一定時間経過した場合）、ＪＯＢデータ確認のための通信処理の一時停止を終了する。すなわち通信処理を再開する（ステップＳ２１４）。
【００４１】
以上説明のように本実施形態の電子マネー決済端末１０によれば、ＩＣカードから読み取った固有番号をロッカー制御部へ通知する時、ロッカー制御部２０での照合処理に要する時間を考慮してＪＯＢデータ確認のための通信処理を一時停止させることにより、照会処理と決済処理とを連続して行うことが出来、その結果、かざし部１１にＩＣカードをかざして決済を行おうとしている利用者を待たせることなく、スムーズに決済処理を実行することが出来る。
【００４２】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４３】
１…電子マネー決済システム、２…センターサーバ（上位装置）、３…外部ネットワーク、４…ロッカーシステム、１０…電子マネー決済端末、１１…かざし部、１２…制御部、２０…ロッカー制御部、３０…商品収納部、４０…貨幣処理装置、５０…操作ボタン、１１１…アンテナ、１１２…リーダライタ部（ＲＷ）、１２０…ＣＰＵ、１２１…タイマ、１２２…記憶部、１２３，１２４…通信部
【図１】
2015200982.tif 000003
【図２】
2015200982.tif 000004
【図３】
2015200982.tif 000005
【図４】
2015200982.tif 000006